(57)【要約】本発明は、ベースバンド処理し、フルまたはパーシャルＤＴＸのために伝送されなかったタイムスロットの全部または一部をターンオフすることによって、パワーをセーブする。パーシャルＤＴＸにおいて、ＣＣＴＲＣＨの最短のＴＴＩの開始においてＴＦＣＩをリードする（ステップ１２）。ＹＥＳと判断された場合、全てのコードおよびタイムスロットを使用してステップ１２を繰り返し、ＮＯと判断された場合、コードおよびタイムスロットの全部は使用しない（ステップ１３）。ＣＣＴｒＣＨの最短のＴＴＩにおける伝送コードと、関連するタイムスロットおよびレディオフレームとを、受信ＴＦＣＩから判断する（ステップ１４）。その後、受信ＴＦＣＩによって示された不使用コードに対して、当該レシーバがターンオフされる（ステップ１６）。フルＤＴＸにおいては、ＴＦＣＩの受信後、最短のＴＴＩにおいて全てのタイムスロットに対して、当該レシーバがターンオフされる。
2005507191.tif 000002
【特許請求の範囲】
【請求項１】
ＴＤＤ（time division duplex）レシーバのＤＴＸ（discontinuous transmission）におけるパワーをセーブする方法において、
前記ＣＣＴｒＣＨ（coded composite transport channel）のＴＦＣＩ（transport format combination index）を受け取るステップであって、前記ＣＣＴｒＣＨが、複数のＴｒＣＨ（transport channel）を有し、各ＴｒＣＨが、少なくとも１つのコードとタイムスロットとを備え、かつ少なくとも１つのレディオフレーム（radio frame）を備えた関連づけられたＴＴＩ（transmission time interval）を有するステップと、
受け取った前記ＴＦＣＩから、前記ＣＣＴｒＣＨ内の最短ＴＴＩにおいて伝送されたコードとタイムスロットとレディオフレームとを判断するステップと、
前記最短ＴＴＩにおいて伝送されないコードおよびタイムスロットに対するレシーバ処理をターンオフするステップと
を備えたことを特徴とする方法。
【請求項２】
請求項１に記載の方法において、前記ＴＴＩの後の第１のアロケートタイムスロットにおいてレシーバ処理をターンオンするステップをさらに備えたことを特徴とする方法。
【請求項３】
請求項１に記載の方法において、前記ＤＴＸは、パーシャルＤＴＸであることを特徴とする方法。
【請求項４】
請求項１に記載の方法において、前記ＤＴＸは、フルＤＴＸであることを特徴とする方法。
【請求項５】
ＴＤＤ（time division duplex）レシーバのＤＴＸ（discontinuous transmission）におけるパワーをセーブする方法において、
複数のＴｒＣＨ（transport channel）を有するＣＣＴｒＣＨ（coded composite transport channel）を受け取るステップと、
受け取った前記ＴＦＣＩ（transport format combination index）から前記アクティブＴｒＣＨを判断するステップと、
全てのインアクティブＴｒＣＨに対するレシーバ処理をターンオフするステップと
を備えたことを特徴とする方法。
【請求項６】
請求項５に記載の方法において、予め定めた継続期間後にレシーバ処理をターンオンするステップをさらに備えたことを特徴とする方法。
【請求項７】
請求項６に記載の方法において、前記予め定めた継続期間は、前記ＣＣＴｒＣＨ内の最短ＴＴＩであることを特徴とする方法。
【請求項８】
請求項５に記載の方法において、前記ＤＴＸは、パーシャルＤＴＸであることを特徴とする方法。
【請求項９】
請求項５に記載の方法において、前記ＤＴＸは、フルＤＴＸであることを特徴とする方法。
【請求項１０】
ＴＤＤ（time division duplex）レシーバのＤＴＸ（discontinuous transmission）におけるパワーをセーブする方法において、
複数のコードおよびタイムロットを有するＣＣＴｒＣＨ（coded composite transport channel）のＴＦＣＩ（transport format combination index）を受け取るステップと、
受け取った前記ＴＦＣＩから、伝送されたコードとタイムスロットとを判断するステップと、
伝送されないインアクティブなコードおよびタイムスロットの全てに対する前記レシーバ処理をターンオフするステップと
を備えたことを特徴とする方法。
【請求項１１】
請求項１０に記載の方法において、前記ＤＴＸは、パーシャルＤＴＸであることを特徴とする方法。
【請求項１２】
請求項１０に記載の方法において、前記ＤＴＸは、フルＤＴＸであることを特徴とする方法。
【請求項１３】
請求項１０に記載の方法において、予め定めた継続期間後にレシーバ処理をターンオンするステップをさらに備えたことを特徴とする方法。
【請求項１４】
請求項１３に記載の方法において、前記予め定めた継続期間は、前記ＣＣＴｒＣＨ内の最短ＴＴＩであることを特徴とする方法。
【請求項１５】
ＴＤＤ（time division duplex）レシーバのＤＴＸ（discontinuous transmission）時にパワーをセーブする方法において、
前記ＣＣＴｒＣＨ（coded composite transport channel）のＴＦＣＩ（transport format combination index）を受け取るステップであって、前記ＣＣＴｒＣＨが、複数のＴｒＣＨ（transport channel）を有し、各ＴｒＣＨが、少なくとも１つのコードとタイムスロットとを備え、かつ少なくとも１つのレディオフレーム（radio frame）を備えた関連づけられたＴＴＩ（transmission time interval）を有するステップと、
前記ＣＣＴｒＣＨ内の最短のＴＴＩを識別するステップと、
受け取った前記ＴＦＣＩから、前記ＴＴＩにおいて使用されない全てのコードおよびタイムスロットを判断するステップと、
前記ＴＴＩにおいて使用されない全てのコードおよびタイムスロットに対するレシーバ処理をターンオフするステップと
を備えたことを特徴とする方法。
【請求項１６】
請求項１５に記載の方法において、前記ＤＴＸは、パーシャルＤＴＸであることを特徴とする方法。
【請求項１７】
請求項１５に記載の方法において、前記ＤＴＸは、フルＤＴＸであることを特徴とする方法。
【請求項１８】
請求項１５に記載の方法において、予め定めた継続期間後にレシーバ処理をターンオンするステップをさらに備えたことを特徴とする方法。
【請求項１９】
請求項１５に記載の方法において、前記予め定めた継続期間は、前記ＴＴＩであることを特徴とする方法。
【請求項２０】
ＴＤＤ（time division duplex）レシーバのＤＴＸ（discontinuous transmission）におけるパワーをセーブする方法において、
前記ＣＣＴｒＣＨ（coded composite transport channel）のＴＦＣＩ（transport format combination index）を受け取るステップであって、前記ＣＣＴｒＣＨが、複数のＴｒＣＨ（transport channel）を有し、各ＴｒＣＨが、少なくとも１つのコードとタイムスロットとを備え、かつ少なくとも１つのレディオフレーム（radio frame）を備えた関連づけられたＴＴＩ（transmission time interval）を有するステップと、
前記ＣＣＴｒＣＨ内の最短のＴＴＩを判断するステップと、
受け取った前記ＴＦＣＩをスペシャルバーストとして識別し、仮に前記ＴＦＣＩがスペシャルバーストではない場合には、前記ＴＦＣＩを受け取るステップに処理を戻すステップと、
前記ＴＦＣＩを受け取るステップの後の前記ＴＴＩにおける全てのコードおよびタイムスロットに対するレシーバ処理をデアクティベートするステップと、
前記ＴＴＩの後の最初のアロケートタイムスロットにおいてレシーバ処理をアクティベートするステップと、
前記タイムスロット内の有効なＴＦＣＩのリードを試み、仮に有効なＴＦＣＩを受け取った場合には、処理を前記識別するステップに戻し、仮に有効なＴＦＣＩを受け取らなかった場合には、処理を前記デアクティベートするステップに戻すステップと
を備えたことを特徴とする方法。
【請求項２１】
ＴＤＤ（time division duplex）レシーバのＤＴＸ（discontinuous transmission）におけるパワーをセーブする方法において、
ＣＣＴｒＣＨ（coded composite transport channel）のＴＦＣＩ（transport format combination index）を受け取るステップであって、前記ＣＣＴｒＣＨが、複数のＴｒＣＨ（transport channel）を有し、各ＴｒＣＨが複数のコードおよびタイムスロットを備えたステップと、
前記ＣＣＴｒＣＨ内の最短のＴＴＩを判断するステップと、
受け取った前記ＴＦＣＩをスペシャルバーストとして識別し、仮に前記ＴＦＣＩがスペシャルバーストでない場合には、処理を前記ＴＦＣＩを受け取るステップに戻すステップと、
前記ＴＦＣＩを受け取るステップの後の全てのコードおよびタイムスロットに対するレシーバ処理をデアクティベートするステップと、
予め定めた継続期間後にレシーバ処理をアクティベートするステップと、
前記タイムスロット内の有効なＴＦＣＩのリードを試み、仮に有効なＴＦＣＩを受け取った場合には、処理を前記識別するステップに戻し、仮に有効なＴＦＣＩを受け取らなかった場合には、処理を前記デアクティベートするステップに戻すステップと
を備えたことを特徴とする方法。
【請求項２２】
請求項２１に記載の方法において、前記予め定めた継続期間は、前記最短のＴＴＩであることを特徴とする方法。
【請求項２３】
ＴＤＤ（time division duplex）レシーバのＤＴＸ（discontinuous transmission）におけるパワーをセーブする方法において、
複数のＴｒＣＨ（transport channel）を有するＣＣＴｒＣＨ（coded composite transport channel）のＴＦＣＩ（transport format combination index）を受け取るステップと、
前記ＣＣＴｒＣＨ内の最短のＴＴＩ（transmission time interval）を判断するステップと、
受け取った前記ＴＦＣＩをスペシャルバーストとして識別し、仮に前記ＴＦＣＩがスペシャルバーストでない場合には、処理を前記ＴＦＣＩを受け取るステップに戻すステップと、
前記ＴＴＩ内の全てのＴｒＣＨに対するレシーバ処理をデアクティベートするステップと、
前記ＴＴＩ後の最初のアロケートタイムスロットでレシーバ処理をアクティベートするステップと、
前記タイムスロット内の有効なＴＦＣＩのリードを試み、仮に有効なＴＦＣＩを受け取った場合には、処理を前記識別するステップに戻し、仮に有効なＴＦＣＩを受け取らなかった場合には、処理を前記デアクティベートするステップに戻すステップと
を備えたことを特徴とする方法。
【請求項２４】
ＴＤＤ（time division duplex）レシーバのＤＴＸ（discontinuous transmission）におけるパワーをセーブする方法において、
ａ）ＣＣＴｒＣＨ（coded composite transport channel）のＴＦＣＩ（transport format combination index）を受け取るステップであって、前記ＣＣＴｒＣＨが、複数のＴｒＣＨ（transport channel）を有し、各ＴｒＣＨが少なくとも１つのコードとタイムスロットとを備え、かつ少なくとも１つのレディオフレーム（radio frame）を備えた関連づけられたＴＴＩ（transmission time interval）を有するステップと、
ｂ）前記ＣＣＴｒＣＨ内の最短のＴＴＩを識別するステップと、
ｃ）受け取った前記ＴＦＣＩをスペシャルバーストとして検出し、仮に前記ＴＦＣＩがスペシャルバーストである場合には、ステップｆに進み、仮に前記ＴＦＣＩがスペシャルバーストでない場合には、ステップｄに進むステップと、
ｄ）全てのコードとタイムスロットを前記ＴＴＩにおいて使用するか否かを判断し、使用する場合はステップａに戻り、使用しない場合はステップｅに進むステップと、
ｅ）前記ＴＴＩにおいて使用されない全てのコードおよびタイムスロットに対するレシーバ処理を選択的にデアクテイベートし、前記識別するステップに戻るステップと、
ｆ）前記ＴＴＩにおいて全てのコードおよびタイムスロットに対するレシーバ処理をデアクティベートするステップと、
ｇ）前記ＴＴＩ後の最初のアロケートタイムスロットにおいてレシーバ処理をアクティベートするステップと、
ｈ）前記タイムスロット内の有効なＴＦＣＩのリードを試み、仮に有効なＴＦＣＩを受け取った場合には、処理をステップｃに戻し、仮に有効なＴＦＣＩを受け取らなかった場合には、処理をステップｆに戻すステップと
を備えたことを特徴とする方法。
【請求項２５】
ＴＤＤ（time division duplex）レシーバのＤＴＸ（discontinuous transmission）におけるパワーをセーブする方法において、
ａ）ＣＣＴｒＣＨ（coded composite transport channel）のＴＦＣＩ（transport format combination index）を受け取るステップであって、前記ＣＣＴｒＣＨが、複数のＴｒＣＨ（transport channel）を有し、各ＴｒＣＨが複数のコードおよびタイムスロットを備えたステップと、
ｂ）受け取った前記ＴＦＣＩをスペシャルバーストとして検出し、前記ＴＦＣＩがスペシャルバーストである場合は、ステップｅに処理が進み、前記ＴＦＣＩがスペシャルバーストでない場合は、ステップｃに処理が進むステップと、
ｃ）全てのコードおよびタイムスロットを使用するか否かを判断し、仮に全てのコードおよびタイムスロットを使用する場合は、ステップａに戻り、仮に全てのコードおよびタイムスロットを使用しない場合は、ステップｄに進むステップと、
ｄ）使用しない全てのコードおよびタイムスロットに対して第１の予め定めた継続期間において、レシーバ処理を選択的にデアクテイベートし、ステップａに戻るステップと、
ｅ）前記ＴＦＣＩを受け取るステップの後の全てのコードおよびタイムスロットに対するレシーバ処理をデアクティベートするステップと、
ｆ）第２の予め定めた継続期間後にレシーバ処理をアクティベートするステップと、
ｇ）前記タイムスロット内の有効なＴＦＣＩのリードを試み、仮に有効なＴＦＣＩを受け取った場合には、処理をステップｂに戻し、仮に有効なＴＦＣＩを受け取らなかった場合は、処理をステップｅに戻すステップと
を備えたことを特徴とする方法。
【請求項２６】
請求項２５に記載の方法において、各ＴｒＣＨは、関連づけられたＴＴＩを有し、本方法は、前記ＣＣＴｒＣＨ内の最短のＴＴＩを識別するステップをさらに備えたことを特徴とする方法。
【請求項２７】
請求項２６に記載の方法において、前記第１の予め定めた継続期間は、前記最短のＴＴＩであることを特徴とする方法。
【請求項２８】
請求項２６に記載の方法において、前記第２の予め定めた継続期間は、前記最短のＴＴＩであることを特徴とする方法。
【請求項２９】
請求項２６に記載の方法において、前記第１の予め定めた継続期間と前記第２の予め定めた継続期間の両方は、前記最短のＴＴＩであることを特徴とする方法。
【請求項３０】
ＴＤＤ（time division duplex）レシーバのＤＴＸ（discontinuous transmission）におけるパワーをセーブするシステムにおいて、
受け取った信号が有効なＴＦＣＩ（transport format combination index）を備えたか否かを判断する前処理部と、
前記有効ＴＦＣＩをリードし、全てのアクティブおよびインアクティブなコードおよびタイムスロットを判断する検出部と、
使用されない全てのコードおよびタイムスロットに対するレシーバ処理をターンオフするレシーバ制御部と
を備えたことを特徴とするシステム。
【請求項３１】
請求項３０に記載のシステムにおいて、前記前処理部は、前記受信信号のパワーを推定するコードパワー推定部をさらに備えたことを特徴とするシステム。
【請求項３２】
請求項３１に記載のシステムにおいて、前記前処理部は、前記受信信号の品質を推定するバースト品質推定部をさらに備えたことを特徴とするシステム。
【請求項３３】
請求項３０に記載のシステムにおいて、前記検出部は、前記有効ＴＦＣＩをリードし、前記アクティブおよびインアクティブなコードおよびタイムスロットを識別する高速ＴＦＣＩ解釈部をさらに備えたことを特徴とするシステム。
【請求項３４】
請求項３３に記載のシステムにおいて、前記検出部は、前記有効ＴＦＣＩをリード、前記有効ＴＦＣＩがフルＤＴＸを示すスペシャルバーストであるか否かを識別するスペシャルバースト検出部をさらに備えたことを特徴とするシステム。
【発明の詳細な説明】
【技術分野】
【０００１】
本発明は、ワイヤレス通信に関する。具体的には、本発明は、オペレーションのフル（full）またはパーシャル（partial）ＤＴＸ（discontinuous transmission）モード時に高チップレートおよび低チップレートのＴＤＤ（time division duplex）タイプシステムのパワーをセーブすることに関する。
【背景技術】
【０００２】
３ＧＰＰ（Third Generation Partnership Project）ＴＤＤ（time division duplex）システムにおいては、時間がＴＴＩ（transmission time interval）に区分され、これらＴＴＩがそれぞれフレームに細分され、これらフレームがそれぞれさらにタイムスロットに細分される。ＴＴＩとは、１つ以上のレディオフレーム（radio frame）であると定義される。具体的には、レディオフレームは１０ｍｓであり、ＴＴＩは、１０ｍｓ、２０ｍｓ、４０ｍｓ、または８０ｍｓとすることができる。低チップレートＴＤＤは、各フレームをそれぞれ２つのサブフレームに分割する。そして、これらサブフレームはそれぞれタイムスロットに分割される。ＣＣＴｒＣＨ（Coded Composite Transport Channel）には、１つ以上のＴｒＣＨ（Transport Channel）が含まれる。ＣＣＴｒＣＨは、タイムスロットとコードの１つ以上のセットからなる集まりにマップされる。
【０００３】
最大データサイズのＣＣＴｒＣＨが伝送されると、アロケートされた全てのコードおよびタイムスロットが、ＴＴＩにおいて使用される。あるＴＴＩにおいて伝送される実際のコードおよびタイムスロットの数は、ＴＦＣＩ（Transport Format Combination Index）によってレシーバにシグナルされる。コードおよびタイムスロットは、当該トランスミッタと当該レシーバの両方に知られているルールセットに従ってアロケートされるから、ひとたび当該ＴＦＣＩをデコードすることによって、コードおよびタイムスロットの数がレシーバに知られると、当該レシーバは各タイムスロットにおいてどのコードが伝送されたかも知ることになる。
【０００４】
３ＧＰＰ  ＴＤＤシステムは、ＣＣＴｒＣＨのトータルビットレートが、１つのＴＴＩにおいてＣＣＴｒＣＨにアロケートされたコードおよびタイムスロットのトータルビットレート未満であるとき、レディオフレームのＤＴＸ（discontinuous transmission）もサポートする。ＴＤＤトランスミッタにおけるコーディングおよびマルチプレクシング機能によって、データがコードおよびタイムスロットにマップされる。
【０００５】
ＤＴＸは、個々に、ＣＣＴｒＣＨに適用される。ＣＣＴｒＣＨにＤＴＸが適用されると、当該ＣＣＴｒＣＨにアロケートされたコードおよびタイムスロットの一部または全部が、伝送されない。ＤＴＸは、パーシャルＤＴＸおよびフルＤＴＸという２つのカテゴリに分類される。パーシャルＤＴＸにおいては、ＣＣＴｒＣＨはアクティブであるが、データで充填されるコードおよびタイムスロットの数が、最大数未満であり、当該ＴＴＩにおいては、伝送されないコードおよびタイムスロットがある。フルＤＴＸにおいては、上位のプロトコル層によってＣＣＴｒＣＨに供給されるデータがなく、当該ＴＴＩにおいては、データは全く伝送されない。
【０００６】
ノンＤＴＸオペレーションおよびパーシャルＤＴＸにおいては、各フレームにおいてＣＣＴｒＣＨにアロケートされた最初のタイムスロットに、当該ＴＦＣＩを伝送するコードが少なくとも１つ含まれることになる。どのコードが当該ＴＦＣＩを含むかを判断するためのルールを、当該トランスミッタと当該レシーバの両方が知っているから、当該レシーバは、当該ＴＦＣＩをどこで見付けるかを正確に知っている。このＣＣＴｒＣＨは、同じタイムスロットの追加の伝送コードか、同じフレームにおける後続のタイムスロットの追加の伝送されたコードか、または当該ＴＴＩの後続フレームにおける後続タイムスロットの追加の伝送されたコードを有することができる。これらの伝送されたコードおよびタイムスロットは、ＴＴＩによっては、変化することができるが、各フレームにおけるＣＣＴｒＣＨにアロケートされた最初のタイムスロットには、ＴＦＣＩを伝送する少なくとも１つのコードが常に含まれることになる。ＣＣＴｒＣＨは、ＴＴＩが異なる複数のＴｒＣＨを備えることができる。この場合において、伝送されたコードは、ＣＣＴｒＣＨの全てのＴｒＣＨのＴＴＩのうちの最短のＴＴＩに等しいインターバルにおいて、変化することがある。本明細書においていうところのＴＴＩとは、ＣＣＴｒＣＨの全てのＴｒＣＨのうちの最短のＴＴＩを意味する。
【０００７】
図１を参照すると、１つのフレームのタイムスロット２、３、４、および５と、（２つのフレームに亘る）２０ｍｓのＴＴＩと、にアロケートされたコードを有するＣＣＴｒＣＨの例が図示されている。当該ＴＴＩの両方のフレームにおいて、ＣＣＴｒＣＨに同じコードがアロケートされているが、パーシャルＤＴＸであるため、これらコードが全て伝送されるわけでない。図１において、Ｘは、アロケートされたコードであって伝送されているコードを示し、Ｙは、アロケートされたコードであるが、伝送されていないコードを示す。両方のフレームにおいて、タイムスロット２のコード１が、伝送され、このコード１は当該ＴＦＣＩを含む。ひとたび当該レシーバが最初のフレームにおいて当該ＴＦＣＩをデコードすると、当該レシーバは、両方のフレームにおいて、どのコードおよびタイムスロットが伝送されているかを知る。次の点、すなわち、当該ＴＦＣＩのロケーションは構成可能（configurable）であるから、任意選択により、特定のＣＣＴｒＣＨのより多くのタイムスロットか、または当該ＣＣＴｒＣＨの全てのタイムスロット内において、当該ＴＦＣＩを伝送することができる点に留意されたい。
【０００８】
フルＤＴＸにおいては、周期的なＳＢ（Special Burst）が伝送され、これらＳＢの識別が、当該ＣＣＴｒＣＨにアロケートされた最初のタイムスロットの最初のコード内の０値ＴＦＣＩによって行われる。当該ＳＢが、フルＤＴＸの開始を示す。後続の複数のＳＢが、ＳＢＳＰ（Special Burst Scheduling Parameter）フレームごとに伝送される。これら後続のＳＢは、当該レシーバに対して、ＣＣＴｒＣＨが依然としてアクティブであることを判断するためのメカニズムを提供し、かつ当該レシーバがout-of-syncを宣言しないようにする。フルＤＴＸは、上位のプロトコル層がデータを供給すると、終了する。
【発明の開示】
【課題を解決するための手段】
【０００９】
本発明は、フルＤＴＸまたはパーシャルＤＴＸに起因して伝送されなかったコードおよびタイムスロットのベースバンド処理の全部または一部をターンオフすることによって、パワーをセーブする。パーシャルＤＴＸにあっては、ＣＣＴｒＣＨの最短のＴＴＩにおける、伝送コードと、タイムスロットと、レディオフレームを、受信されたＴＦＣＩから判断する。その後、受信されたＴＦＣＩによる指示により、当該ＣＣＴｒＣＨの最短のＴＴＩにおいて使用されないタイムスロットに対して当該レシーバをターンオフする。フルＤＴＸにあっては、ＴＦＣＩが受信された後、ＣＣＴｒＣＨの最短のＴＴＩにおいて全てのタイムスロットに対して当該レシーバをターンオフする。
【発明を実施するための最良の形態】
【００１０】
本発明について図面を参照して説明する。図において同一符号は同様の要素を示す。本発明は、フルＤＴＸとパーシャルＤＴＸの両方に適用可能である。後述するが、パーシャルＤＴＸにあっては、ＣＣＴｒＣＨにおける最短のＴＴＩにおいて、伝送コードおよびタイムスロットと、レディオフレーム（radio frame）とが、受信されたＴＦＣＩから判断される。その後、当該ＴＴＩにおいて、受信ＴＦＣＩによって指示された不使用コードおよびタイムスロットに対して、当該レシーバをターンオフする。フルＤＴＸの場合においては、ＴＦＣＩを受信した後、当該ＴＴＩにおける全てのコードおよびタイムスロットに対して当該レシーバをターンオフする。図２を参照すると、パーシャルＤＴＸにおけるパワーをセーブするためのプロシージャ１０を示す流れ図が示されている。このプロシージャ１０について、図１に示すＣＣＴｒＣＨの例も参照して説明する。このプロシージャ１０は、ＣＣＴｒＣＨのＴｒＣＨのうちで最も短いＴＴＩの先頭からＴＦＣＩのリード（read）が開始される（ステップ１２）。図１の例において、当該ＴＦＣＩは、第１および第３のフレームのタイムスロット番号２のコード番号１において、リードされることになる。仮にＴＴＩが複数のフレームに亘る場合には、各フレームにおいて同じＴＦＣＩが繰り返される。そこで、図１において、第２および第４のフレームにおけるＴＦＣＩは、それぞれ第１および第３のフレームにおけるＴＦＣＩが繰り返されたものである。ついで、全てのコードおよびタイムスロットが伝送されるか否かを判断する（ステップ１３）。仮に当該ＴＦＣＩが、最短のＴＴＩにおいて全てのコードとタイムスロットとフレームが伝送されることを示している場合には、当該レシーバはフルＤＴＸまたはパーシャルＤＴＸのいずれでもなく、当該プロシージャは次のＴＴＩの開始から繰り返される。仮に当該ＴＦＣＩが、コードおよびタイムスロットの全部でなく一部がＴＴＩにおいて伝送されることを示している場合には、当該ＴＴＩにおいて伝送されないタイムスロットおよびフレームを判断する（ステップ１４）。当業者にとって既知のことであるが、当該ＴＦＣＩは、当該ＴＴＩにおいて伝送されないチャネル（すなわちタイムスロットおよびコード）を示す。したがって、当該ＴＴＩにおいてどのコードおよびタイムスロットが必要になるかを判断することができる。
【００１１】
そして、当該ＴＴＩにおいて使用されることのないタイムスロットおよびフレームに対して当該レシーバをターンオフする（ステップ１６）。図１を参照すると、フレーム１および２におけるタイムスロット４および５が処理されず、かつレディオフレーム３および４におけるタイムスロット３、４、および５が処理されない。仮に当該レシーバが、伝送されなかったコードおよびタイムスロットに対応するデータを既に受信したか処理した場合には、当該レシーバは、それらのコードおよびタイムスロットの処理を終了するか、または伝送されたコードおよびタイムスロットのサブセットに限って処理をすることができる。当業者にとって当然のことであるが、プロシージャ１０にはいくつかの重要な利点がある。第１に、当該レシーバが伝送されないと判断したコードおよびタイムスロットは処理されないから、処理量と、当該レシーバがアクティブでなければならない時間とは、伝送されるデータの量に基づくことになる。仮に、パーシャルＤＴＸにおいて、使用されないコードおよびタイムスロットが多い場合には、パワーを大幅にセーブすることができる。第２に、インアクティブのタイムスロットにおいて当該レシーバをターンオフすることができるから、パワーを大幅に低減させることができる。これによって、モバイル装置のバッテリ寿命を著しく延ばすことができる。
【００１２】
一度に２つ以上のＣＣＴｒＣＨを受け取るためには、ＵＥ（user equipment）が必要となる、ことに留意されたい。ＣＣＴｒＣＨのＤＴＸは互いに独立に制御されているから、アロケートされたタイムスロットを共用する他のＣＣＴｒＣＨのデータを受信するためには、特定のレシーバ処理をオン状態にする必要がある。このような場合においては、ＤＴＸ（パーシャルＤＴＸまたはフルＤＴＸのいずれか）における１つまたは複数のＣＣＴｒＣＨに関連するパワーセービングを最大にするため、レシーバは、可能な限り多くの処理をターンオフすることになる。
【００１３】
パーシャルＤＴＸにおいてパワーを大幅にセーブすることができるから、フルＤＴＸにおいて本発明をインプリメントすることによりさらに利点が得られることは、論理必然のことである。
【００１４】
図３を参照すると、フルＤＴＸにおけるパワーセービングプロシージャ３０が示されている。ステップ３２で、このプロシージャ３０は、ＣＣＴｒＣＨのＴｒＣＨのうちで最短のＴＴＩの先頭からＴＦＣＩをリードすることによって開始される。前述のように、０値ＴＦＣＩは、フルＤＴＸの開始を示すＳＢを示す。仮に当該ＴＦＣＩがＳＢを示していない場合（ステップ３３）、当該ＴＴＩが処理され（ステップ３４）、次のＴＴＩの開始から、このプロシージャが繰り返される。当該ＴＦＣＩがＳＢを示している場合、当該ＣＣＴｒＣＨはフルＤＴＸにあり、当該レシーバがターンオフされる（ステップ３５）。当該レシーバは、次のＴＴＩにおける最初のアロケートタイムスロットまで、オフ状態にあり、その最初のタイムスロットにおいて、ターンオンになり（ステップ３６）、ＴＦＣＩをリードする（ステップ３７）。仮に有効なＴＦＣＩが受け取られた場合には（ステップ３８）、プロシージャ３０はステップ３３に戻る。他方、仮に有効なＴＦＣＩが受け取られなかった場合には、当該レシーバは、当該ＣＣＴｒＣＨが依然としてフルＤＴＸにあるとみなして、ステップ３５に戻り、ＴＴＩの残りの部分において、ターンオフする。有効なＴＦＣＩとは、当該ＣＣＴｒＣＨのためのコンファギュアされた（configured）ＴＦＣまたはＳＢと一致するＴＦＣＩである。
【００１５】
図５を参照すると、パーシャルまたはフルＤＴＸにおけるパワーセービングプロシージャ１３０が示されている。このプロシージャ１３０は、ステップ１３２で、ＣＣＴｒＣＨのＴｒＣＨのうちの最短のＴＴＩの先頭からＴＦＣＩをリードすることによって、開始される。仮に当該ＴＦＣＩがＳＢを示していない場合には（ステップ１３３）、全てのコードおよびタイムスロットが伝送されるか否かが判断される（ステップ１３９）。仮に当該ＴＦＣＩが最短のＴＴＩにおいて全てのコードとタイムスロットとフレームが伝送されることを示している場合には、当該レシーバは、フルＤＴＸまたはパーシャルＤＴＸのいずれでもなく、次のＴＴＩの開始から、当該プロシージャが繰り返される。仮に当該ＴＦＣＩが、コードおよびタイムスロットの全部でなく一部がＴＴＩにおいて伝送されることを示している場合には、当該ＴＴＩにおいて伝送されないタイムスロットおよびフレームが判断される（ステップ１４０）。そして、当該レシーバは、当該ＴＴＩにおいて使用されないタイムスロットおよびフレームに対して、ターンオフされる（ステップ１４１）。仮に当該レシーバが、伝送されていないコードおよびタイムスロットに対応するデータを既に受信または処理した場合には、それらのコードおよびタイムスロットの処理を終了するか、または伝送されたコードおよびタイムスロットのサブセットに限って処理をすることができる。
【００１６】
仮に当該ＴＦＣＩがスペシャルバーストを示している場合には（ステップ１３３）、当該ＣＣＴｒＣＨはフルＤＴＸにあり、当該レシーバがターンオフされる（ステップ１３５）。当該レシーバが、次のＴＴＩの最初のアロケートタイムスロットまで、オフ状態にあり、次のＴＴＩの最初のアロケートタイムスロットにおいて、当該レシーバはターンオンして（ステップ１３６）、当該ＴＦＣＩをリードする（ステップ１３７）。仮に有効なＴＦＣＩを受け取った場合には（ステップ１３８）、当該プロセスはステップ１３３に戻る。仮に有効なＴＦＣＩを受け取らなかった場合には、当該レシーバは、当該ＣＣＴｒＣＨが依然としてフルＤＴＸにあるとみなして、ステップ１３５に戻り、当該ＴＴＩの残りの部分において、ターンオフする。
【００１７】
図４を参照すると、本発明に係るシステム１００が図示されている。このシステム１００には、コードパワー推定部１０２と、バースト品質推定部１０４と、高速ＴＦＣＩ解釈部１０８と、スペシャルバースト検出部１１０と、レシーバオン／オフ制御部１１６とが含まれる。コードパワー推定部１０２とバースト品質推定部１０４とは、個別の実体として図示してあるが、これらは、単一の処理装置１０６として容易に結合することができる、ことは当業者にとって当然のことである。同様に、高速ＴＦＣＩ解釈部１０８とスペシャルバースト検出部１１０とは、個別の実体として図示してあるが、これらは、ＴＦＣＩフィールドの情報を検出し、解釈する単一の検出部１１２として結合することができる。
【００１８】
コードパワー推定部１０２は、各受信コードのパワーを推定する。バースト品質推定部１０４は、受信バーストに関する品質メトリクス、例えばＳＮ（signal-to-noise）比を推定する。コードパワー推定部１０２とバースト品質推定部１０４とは、協働して、受信信号の処理を行い、それによって、高速ＴＦＣＩ解釈部１０８とスペシャルバースト検出部１１０が、有効ＴＦＣＩを受信したか否かを判断し易くする。本質的には、コードパワー推定部１０２とバースト品質推定部１０４は、受信信号が超えなければならない閾値を提供する。この閾値によって、システム１００は、当該レシーバが受け取る他のエネルギーから有効バーストを判断することができる。この閾値によって、（有効なＴＦＣＩでない）受け取ったエネルギーが、有効ＴＦＣＩとして誤って検出されない。この受け取ったエネルギーを誤って検出した場合には、誤ったデータが生じ、それによって必要な処理量が増大し、パワーが無駄に消費され、誤ってＢＬＥＲが高くなり、伝送パワーの無用な増大を招くことになる。
【００１９】
高速ＴＦＣＩ解釈部１０８は、ＴＦＣＩビットを解釈する。現在のレディオフレームと、当該ＣＣＴｒＣＨ内の最短のＴＴＩが含まれる後続のレディオフレームと、において、後続のタイムスロットを処理する上で、回路をアクティベート／デアクティベートするため、ＴＦＣＩビットが解釈されると、アクティブコードおよびタイムスロット（すなわちＣＣＴｒＣＨのＴＴＩにおいて伝送されるコードおよびタイムスロット）と、インアクティブなコードおよびタイムスロットとを、適時に、識別する。インアクティブのタイムスロットおよびレディオフレームは、処理されない。
【００２０】
スペシャルバースト検出部１１０は、ＳＢを受け取ったか否かを判断し、これによってフルＤＴＸの開始をシグナルする。図示したが、高速ＴＦＣＩ解釈部１０８とスペシャルバースト検出部１１０の出力は、当該レシーバオン／オフ制御部１１６に入力される。
【００２１】
高速ＴＦＣＩ解釈部１０８は、有効なＴＦＣＩの存在を検出し、レシーバオン／オフ制御部１１６にとってアクティブなコード（現行と後続の両方のタイムスロット）を識別し、当該レシーバオン／オフ制御部１１６は、て、当該ＴＴＩにおいてアクティブなタイムスロットの場合に、当該レシーバをターンオンし、当該ＴＴＩにおいてアクティブでないタイムスロットの場合に、当該レシーバをターンオフするため、この信号を使用する。同様に、仮にスペシャルバースト検出部１１０が、フルＤＴＸが開始されたことを示すＳＢの存在を検出した場合には、当該レシーバオン／オフ制御部１１６に通知される。レシーバオン／オフ制御部１１６は、ＣＣＴｒＣＨ内の最短のＴＴＩにおいてそれ以降の全てのコードとタイムスロットとレディオフレームに対して、当該レシーバをターンオフする。
【００２２】
仮に当該レシーバがＤＴＸにエンター（enter）した場合には、当該レシーバは、次のＴＴＩにおいて、ターンオンして、ＴＦＣＩをリードしようとする。コードパワー推定部１０２とバースト品質推定部１０４は、信号が受信されたことを宣言するため、信号が超えなければならない閾値を提供している。仮にこの閾値を超えた場合には、高速ＴＦＣＩ解釈部１０８とスペシャルバースト検出部１１０は、ＴＦＣＩが有効な値を有するか否か（すなわち、ゼロであるか、またはＵＥに記憶されたＴＦＣに対応する値であるか）を判断する。仮にこの閾値を超えない場合か、ＴＦＣＩが有効な値でない場合か、またはＴＦＣＩがゼロ（ＳＢおよびフルＤＴＸの継続を示す）の場合には、当該レシーバオン／オフ制御部１１６は、ＣＣＴｒＣＨ内の最短のＴＴＩにおける後続の全てのコードとタイムスロットとレディオフレームに対して、当該レシーバをターンオフするように通知する。仮にこの閾値を超え、かつ当該ＴＦＣＩが有効な非ゼロ値である場合には、高速ＴＦＣＩ解釈部１０８は、当該レシーバオン／オフ制御部１１６にとってアクティブなコード（現行と後続の両方のタイムスロット）を識別し、当該レシーバオン／オフ制御部１１６は、アクティブなタイムスロットの場合、当該レシーバをターンオンにし、アクティブでないタイムスロットの場合に、当該レシーバをターンオフするため、この信号を使用する。
【００２３】
本発明は、現在のブロードバンドおよびナローバンドＴＤＤ標準とＴＤ−ＳＣＤＭＡと互換性がある。本発明は、ＣＣＴｒＣＨがフルＤＴＸのとき、ＣＣＴｒＣＨにアロケートされたＴＴＩの最初のタイムスロット以外の全てのタイムスロットにおいて、ＵＥパワーをセーブする機能を提供する。本発明は、ＣＣＴｒＣＨにアロケートされたＴＴＩの最初のタイムスロット以外の全てのタイムスロットにおいて、コードまたはフルタイムスロットを処理せず、これにより、パーシャルＤＴＸにおいてＵＥパワーをパワーセーブする機能も提供する。
【００２４】
低チップレートＴＤＤは、ＴＦＣＩワードを２つのサブフレームに分割する。これは、両方のサブフレームを処理してからでなければ、ＴＦＣＩワードをデコードすることができないことを意味する。本発明によると、ＣＣＴｒＣＨ内の最短のＴＴＩにおける２番目のサブフレームと、それ以降のレディオフレームとにおいてのみ、パワーをセーブする。アロケートされたコードは、全て、最初のサブフレームにおいて処理されることを要する。
【００２５】
本発明の次の態様は、インプリメントされていれば、ナローバンドＴＤＤまたはＴＤ−ＳＣＤＭＡ信号を使用するレシーバのパワーが、さらにセーブされる。例えば、最初のサブフレームにフルＴＦＣＩワードを入れ、２番目のサブフレームにＴＦＣＩを伝送しないことによって、当該レシーバは、最初のサブフレームと２番目のサブフレームのタイムスロットでターンオフされ、これにより、パワーがセーブされる。両方のサブフレームにおいて、同じ物理チャネルフォーマットを維持する代替態様においては、ＴＦＣＩフィールドを両方のサブフレームに残すが、全てのＴＦＣＩビットを、最初のサブフレームにおいて、エンコードする。すると、当該レシーバが、最初のサブフレームと２番目のサブフレームにおけるタイムスロットにおいて、ターンオフされ、これにより、パワーがセーブされ、２番目のサブフレームにおけるＴＦＣＩフィールドを将来の使用のために指定することができる。他の実施態様においては、サブフレームとＴＦＣＩの配置をそれぞれの現行構成のままにしておくが、両方のサブフレームにおいて同じＴＦＣＩワードを繰り返す。当該レシーバは、２番目のサブフレームにおいて繰り返されたＴＦＣＩビットを無視することを選択することができ、最初と２番目のサブフレームにおけるタイムスロットにおいて、ターンオフされ、これによりパワーがセーブされる。最後に、ブロードバンド、ナローバンドＴＤＤ、またはＴＤ−ＳＣＤＭＡ標準に適用可能な代替態様においては、各タイムスロット（好ましくはミッドアンブルの前の）おける（２つのフィールドではなく）単一のフィールドにおいて、ＴＦＣＩがエンコードされる。当該レシーバは両方のデータフィールドの前にＴＦＣＩを処理し、より早く、場合によってはＴＦＣＩを含むフルタイムスロットを処理する前に、ターンオフし、これにより、さらにパワーがセーブされる。
【図面の簡単な説明】
【００２６】
【図１】ＣＣＴｒＣＨを示す図である。
【図２】パーシャルＤＴＸにおけるパワーセービングプロシージャを示す流れ図である。
【図３】フルＤＴＸにおけるパワーをセーブするためのプロシージャを示す流れ図である。
【図４】本発明に従って製作されたシステムのブロック図である。
【図５】フルまたはパーシャルＤＴＸにおけるパワーをセーブするプロシージャを示す流れ図である。
【図１】
2005507191.tif 000003
【図２】
2005507191.tif 000004
【図３】
2005507191.tif 000005
【図４】
2005507191.tif 000006
【図５】
2005507191.tif 000007
【国際公開パンフレット】
2005507191.tif 000008
2005507191.tif 000009
2005507191.tif 000010
2005507191.tif 000011
2005507191.tif 000012
2005507191.tif 000013
2005507191.tif 000014
2005507191.tif 000015
2005507191.tif 000016
2005507191.tif 000017
2005507191.tif 000018
2005507191.tif 000019
2005507191.tif 000020
2005507191.tif 000021
2005507191.tif 000022
2005507191.tif 000023
2005507191.tif 000024
2005507191.tif 000025
2005507191.tif 000026
2005507191.tif 000027
2005507191.tif 000028
2005507191.tif 000029
2005507191.tif 000030
2005507191.tif 000031
【国際公開パンフレット（コレクトバージョン）】
2005507191.tif 000032
2005507191.tif 000033
【国際調査報告】
2005507191.tif 000034